(57)【要約】【課題】引手本体に簡単に装着できる引手補助具、引手およびファスナースライダーを提供すること。【解決手段】引手補助具４０は、ファスナースライダーの引手本体に形成された装着孔に装着されるものであり、前記装着孔に挿通可能であると共に一端側に肩部４２を有した長尺の引手補助部４１と、引手補助部４１の厚さ方向において肩部４２に対向して配置された頭部５１と、肩部４２および頭部５１を連結した首部６１とを有する。引手補助部４１のうち少なくとも肩部４２は弾性材料によって形成されている。肩部４２、頭部５１および首部６１によって、前記装着孔を形成する周縁部に係合可能な環状凹溝７０が形成されている。【選択図】図５
2020025672.tif 000002
【特許請求の範囲】
【請求項１】
ファスナースライダー（１）の引手本体（３０）に形成された装着孔（３２）に装着される引手補助具（４０）であって、
前記装着孔（３２）に挿通可能であると共に一端側に肩部（４２）を有した長尺の引手補助部（４１）と、
前記引手補助部（４１）の長手方向および幅方向に直交する厚さ方向において前記肩部（４２）に対向して配置された頭部（５１）と、
前記肩部（４２）および前記頭部（５１）を連結した首部（６１）とを有しており、
前記引手補助部（４１）のうち少なくとも前記肩部（４２）が弾性材料によって形成されており、
前記肩部（４２）、前記頭部（５１）および前記首部（６１）によって、前記装着孔（３２）を形成する周縁部（３１）に係合可能な環状凹溝（７０）が形成されている
ことを特徴とする引手補助具。
【請求項２】
前記肩部（４２）、前記頭部（５１）および前記首部（６１）が弾性材料によって一体に形成されている
ことを特徴とする請求項１に記載の引手補助具。
【請求項３】
前記引手補助部（４１）は、その全体が弾性材料によって形成されている
ことを特徴とする請求項１または請求項２に記載の引手補助具。
【請求項４】
前記引手補助部（４１）は、その長手方向において前記肩部（４２）よりも他端側の部分を把持部（４３）として構成されており、
前記把持部（４３）の幅寸法は、前記肩部（４２）の最大幅寸法よりも小さい寸法とされている
ことを特徴とする請求項１から請求項３のいずれか一項に記載の引手補助具。
【請求項５】
前記引手補助部（４１）の幅寸法は、前記把持部（４３）から前記肩部（４２）に向かって漸増している
ことを特徴とする請求項４に記載の引手補助具。
【請求項６】
前記引手補助部（４１）は、その長手方向において前記肩部（４２）よりも他端側の部分を把持部（４３）として構成されており、
前記頭部（５１）は、前記引手補助部（４１）の長手方向において前記肩部（４２）よりも前記把持部（４３）から離れる方向に突出して形成されている
ことを特徴とする請求項１から請求項５のいずれか一項に記載の引手補助具。
【請求項７】
請求項１から請求項６のいずれか一項に記載の引手補助具と、
前記引手補助具（４１）が装着された装着孔（３２）を有した引手本体（３０）とを備えている
ことを特徴とする引手。
【請求項８】
請求項７に記載の引手（２０）と、
前記引手（２０）の引手本体（３０）が取り付けられたスライダー胴体（１０）とを備えている
ことを特徴とするファスナースライダー。
【発明の詳細な説明】
【技術分野】
【０００１】
本発明は、スライドファスナーにおいて一対のファスナーストリンガーを連結するスライダーの引手本体に装着される引手補助具、引手およびファスナースライダーに関する。
【背景技術】
【０００２】
従来、スライダー本体に取り付けられたハンドル部に孔が形成され、この孔に可撓性材料によって形成されたスライダープーラー（引手補助具）を装着したジッパースライダー（ファスナースライダー）が知られている（特許文献１参照）。
スライダープーラーは、長尺の延長部と、延長部の端部に連続したヘッド部とによって構成されており、ヘッド部にはリング部が形成されている。このスライダープーラーは、リング部をハンドル部の孔に通過させ、リング部によって形成された挿入孔に延長部を挿入することで、ハンドル部に装着されている。このようにスライダープーラーを装着することで把持し易くなって、ジッパースライダーを引っ張り易くなり、また、ハンドル部にスライダープーラーを装着することで、ロゴやデザインなどをスライダープーラーに加飾可能な構成にできる。
【先行技術文献】
【特許文献】
【０００３】
【特許文献１】韓国公開実用新案第２０−２０１６−０００４０１８号公報
【発明の概要】
【発明が解決しようとする課題】
【０００４】
ところで、特許文献１に記載のジッパースライダーでは、スライダープーラーをハンドル部に装着するためには、スライダープーラーのリング部をハンドル部の孔に通過させ、このリング部によって形成された挿入孔に延長部を挿入しなければならず、作業に手間を要する。
また、スライダープーラーの可撓性によってリング部および延長部によって構成されるループ部分に撓みが生じるおそれがある。この撓みの発生を解消するため、ジッパースライダーのハンドル部に対して縫製によって装着されるスライダープーラーを採用することが考えられるが、スライダープーラーの縫製自体に手間を要する。
【０００５】
本発明の目的は、引手本体に簡単に装着できる引手補助具、引手およびファスナースライダーを提供することにある。
【課題を解決するための手段】
【０００６】
本発明の引手補助具は、ファスナースライダーの引手本体に形成された装着孔に装着される引手補助具であって、前記装着孔に挿通可能であると共に一端側に肩部を有した長尺の引手補助部と、前記引手補助部の長手方向および幅方向に直交する厚さ方向において前記肩部に対向して配置された頭部と、前記肩部および前記頭部を連結した首部とを有しており、前記引手補助部のうち少なくとも前記肩部が弾性材料によって形成されており、前記肩部、前記頭部および前記首部によって、前記装着孔を形成する周縁部に係合可能な環状凹溝が形成されていることを特徴とする。
本発明の引手補助具によれば、引手補助部を引手本体の装着孔に挿入して肩部を弾性変形しながら装着孔に通過させるだけで、環状凹溝に当該装着孔を形成する周縁部を係合でき、これにより、引手補助具を引手本体に簡単に装着することができる。
また、引手補助具によれば、環状凹溝が引手本体のうち装着孔を形成する周縁部に係合するので、例えば前述した特許文献１のスライドプーラーのようにリング部および延長部によって構成されるループ部分に生じるような撓みが発生することがなく、引手本体に対する装着状態を安定させることができる。
【０００７】
本発明の引手補助具では、前記肩部、前記頭部および前記首部が弾性材料によって一体に形成されていてもよい。
このような構成によれば、肩部、頭部および首部が弾性変形可能となるので、引手補助具を引手本体に装着する際に肩部を装着孔に対して、より通過させ易くなる。また、環状凹溝が弾性変形可能な肩部、頭部および首部によって形成されることとなるので、引手補助具を引手本体にぴったりと係合させることができる。
【０００８】
本発明の引手補助具では、前記引手補助部は、その全体が弾性材料によって形成されていてもよい。
このような構成によれば、引手補助部を引手本体の装着孔に通過させる際に、引手補助部の全体を撓めることができ、例えば引手補助部のうち肩部を除く部分が金属製などで弾性変形しない構成とされる場合と比べて、引手補助部の装着孔に対する挿入性を向上できる。
【０００９】
本発明の引手補助具では、前記引手補助部は、その長手方向において前記肩部よりも他端側の部分を把持部として構成されており、前記把持部の幅寸法は、前記肩部の最大幅寸法よりも小さい寸法とされていてもよい。
このような構成によれば、把持部の幅寸法が肩部の最大幅寸法よりも小さい寸法とされるので、把持部を引手本体の装着孔に円滑に挿入することができ、引手補助具の引手本体に対する装着作業性を向上できる。
【００１０】
本発明の引手補助具では、前記引手補助部の幅寸法は、前記把持部から前記肩部に向かって漸増していてもよい。
このような構成によれば、引手補助部を引手本体の装着孔に通過させる際、引手補助部を装着孔に滑り込ませながら円滑に弾性変形を生じさせることができ、肩部を装着孔に容易に通過させることができる。
【００１１】
本発明の引手補助具では、前記引手補助部は、その長手方向において前記肩部よりも他端側の部分を把持部として構成されており、前記頭部は、前記引手補助部の長手方向において前記肩部よりも前記把持部から離れる方向に突出して形成されていてもよい。
このような構成によれば、引手補助具が引手本体に装着された状態で引手補助部の把持部が引き操作される際に、頭部の前記突出した部分が引手本体に圧接することで、引手補助具の引手本体からの脱落を抑制する頭部による裏当機能を向上することができる。
【００１２】
本発明の引手は、前述した本発明の引手補助具と、前記引手補助具が装着された装着孔を有した引手本体とを備えていることを特徴とする。
本発明の引手によれば、前述した本発明の引手補助具の作用効果と同様の作用効果を発揮できる引手を構成できる。
【００１３】
本発明のファスナースライダーは、前述した本発明の引手と、前記引手の引手本体が取り付けられたスライダー胴体とを備えていることを特徴とする。
本発明のファスナースライダーによれば、前述した本発明の引手の作用効果と同様の作用効果を発揮できるファスナースライダーを構成できる。
【発明の効果】
【００１４】
本発明によれば、引手本体に簡単に装着できる引手補助具、引手およびファスナースライダーを提供することができる。
【図面の簡単な説明】
【００１５】
【図１】本発明の実施形態に係るファスナースライダーを示す斜視図。
【図２】前記実施形態に係るファスナースライダーにおける引手補助具の装着途中を示す斜視図。
【図３】前記実施形態に係るファスナースライダーにおける引手補助具の装着途中を示す斜視図。
【図４】前記実施形態に係るファスナースライダーの引手補助具を示す正面図。
【図５】前記実施形態に係るファスナースライダーの引手補助具を示す側面図。
【図６】前記実施形態に係るファスナースライダーの引手補助具を示す背面図。
【発明を実施するための形態】
【００１６】
［本実施形態の構成］
以下、本発明の実施形態を図面に基づいて説明する。
図１〜図３において、本実施形態に係るファスナースライダー１は、図示しない一対のファスナーストリンガーに沿ってスライド移動することでこれらを連結するスライドファスナーを構成するための部品である。ファスナースライダー１は、上板部１１、下板部１２およびこれらを連結した連結柱部１３を有したスライダー胴体１０と、上板部１１に設置された取付柱部１４に取り付けられた引手２０とを備えている。スライダー胴体１０は、本実施形態では金属製であるが硬質樹脂製やセラミックス製であってもよい。
以下の説明において、ファスナースライダー１の上下方向（スライド方向）をＸ軸方向とし、ファスナースライダー１の左右方向をＹ軸方向とし、ファスナースライダー１の厚さ方向をＺ軸方向とする。Ｘ，Ｙ，Ｚ軸方向は互いに直交する。
【００１７】
引手２０は、引手本体３０と、引手補助具４０とによって構成されている。
引手本体３０は平板状に形成されており、引手本体３０のＸ軸方向における下部はＹ軸方向に幅広な装着部３１として構成されており、この装着部３１には、Ｙ軸方向の最大幅寸法Ｗ１を有した横長楕円孔状の装着孔３２が形成されている（図２および図３参照）。また、引手本体３０のＸ軸方向における上部には取付柱部１４が挿通された矩形孔状の取付孔３３が形成されている。この引手本体３０は、本実施形態では金属製であるが硬質樹脂製やセラミックス製であってもよい。
【００１８】
引手補助具４０は弾性材料によって形成されている。この弾性材料は、本実施形態ではシリコーンゴムであるが、引手補助具４０が引手本体３０に装着可能となるように弾性変形可能な材料であればよく、例えば天然ゴム、合成ゴム、ウレタンゴム、フッ素ゴム、各種エラストマーなどであってもよい。なお、本実施形態においシリコーンゴムを弾性材料として採用することで、着色性に優れて加飾し易くなる。また、シリコーンゴムを採用することで弾性設定が簡単となるので、引手補助具４０を引手本体３０に装着する際に弾性変形する弾性特性と、引手補助具４０が引手本体３０に装着された状態における装着強度を維持する硬度特性との関係を適切に調整できる。
引手補助具４０は、図４から図６に示すように、Ｘ軸方向に長尺の引手補助部４１と、引手補助部４１のＸ軸方向における上端側（一端側）に形成された肩部４２に対してＺ軸方向に対向して配置された頭部５１と、肩部４２および頭部５１を一体に連結した首部６１とを有している。
【００１９】
引手補助部４１は扁平状に形成されており、前述した肩部４２よりもＸ軸方向における下端側（他端側）の部分を把持部４３として構成されている。引手補助部４１のＹ軸方向における幅寸法は、把持部４３のＸ軸方向における中間部分から肩部４２に向かって漸増している。把持部４３のＹ軸方向における幅寸法Ｗ２は、装着孔３２の最大幅寸法Ｗ１よりも小さい寸法とされている。肩部４２のＹ軸方向における最大幅寸法Ｗ３は、装着孔３２の最大幅寸法Ｗ１よりも大きい寸法とされている。この引手補助部４１は、装着孔３２に対して弾性変形しながら挿通可能に構成されている。
【００２０】
頭部５１は、扁平状に形成されていると共にその両側縁５２が引手本体３０の両側縁部に沿った形状とされている。頭部５１のＹ軸方向における最大幅寸法は、肩部４２と同様の最大幅寸法Ｗ３とされている。この頭部５１は、Ｘ軸方向において肩部４２よりも上方（肩部４２よりも把持部４３から離れる方向）に突出して形成されている。
【００２１】
首部６１は、肩部４２からＺ軸方向に突出しており、その突出端部に頭部５１が連続している。首部６１の周縁形状は、装着孔３２の周縁形状と相補的な横長楕円形状となっている。このため、首部６１は装着孔３２に嵌まっており、このように嵌まるＺ軸方向に沿った軸周りにおける引手補助具４０の揺動を抑制している。首部６１のＺ軸方向における厚さ寸法は、装着孔３２のＺ軸方向における寸法と同等の寸法とされているか、または若干大きい寸法とされている。このため、首部６１が装着孔３２に配置された状態では、引手本体３０の表面側に肩部４２が位置し、且つ、引手本体３０の裏面側に頭部５１が位置する。
【００２２】
この引手補助具４０では、図５に示すように、肩部４２および頭部５１のＺ軸方向における対向面４２１，５１１と首部６１の周面６１１とによって環状凹溝７０が形成されており、この環状凹溝７０が装着孔３２を形成する周縁部である装着部３１に係合している。
【００２３】
[引手補助具の装着手順]
以下、本実施形態のファスナースライダー１における引手補助具４０の装着手順について説明する。
先ず、図２に示すように、引手本体３０の裏面側から装着孔３２に対して引手補助具４０の把持部４３を挿通させる。続いて、把持部４３を引き下げて、図３に示すように肩部４２のＹ軸方向における両側部を装着部３１のＹ軸方向における両側部に当接させ、更に把持部４３を引き下げることで、肩部４２に弾性変形を生じさせながら装着孔３２を通過させる。このとき、肩部４２が元の形状に戻ることで、引手補助具４０の環状凹溝７０に引手本体３０の装着部３１が係合した状態となり、首部６１は装着孔３２に嵌り、肩部４２および頭部５１の前述した対向面４２１，５１１は装着部３１における表面および裏面に当接する。このようにして、引手補助具４０を引手本体３０に装着する。
【００２４】
[本実施形態の効果]
（１）前記実施形態では、引手補助具４０は、ファスナースライダー１の引手本体３０に形成された装着孔３２に装着されるものであって、装着孔３２に挿通可能であると共に一端側に肩部４２を有した長尺の引手補助部４１と、引手補助部４１の厚さ方向において肩部４２に対向して配置された頭部５１と、肩部４２および頭部５１を連結した首部６１とを有しており、引手補助部４１のうち少なくとも肩部４２が弾性材料によって形成されており、肩部４２、頭部５１および首部６１によって、装着孔３２を形成する周縁部である装着部３１に係合可能な環状凹溝７０が形成されている。
上記構成を有するため、引手補助部４１を引手本体３０の装着孔３２に挿入して肩部４２を弾性変形しながら当該装着孔３２に通過させるだけで、環状凹溝７０を装着部３１に係合でき、これにより、引手補助具４０を引手本体３０に簡単に装着することができる。
また、引手補助具４０では、環状凹溝７０が引手本体３０の装着部３１に係合するので、引手本体３０に対する装着状態を安定させることができる。
（２）肩部４２、頭部５１および首部６１が弾性材料によって一体に形成されているので、肩部４２、頭部５１および首部６１が弾性変形可能となるので、引手補助具４０を引手本体３０に装着する際に肩部４２を装着孔３２に対して、より通過させ易くなる。また、環状凹溝７０が弾性変形可能な肩部４２、頭部５１および首部６１によって形成されることとなるので、引手補助具４０を引手本体３０にぴったりと係合させることができる。
（３）引手補助部４１の全体が弾性材料によって形成されているので、引手補助部４１を引手本体３０の装着孔３２に通過させる際に、引手補助部４１の全体を撓めることができ、例えば引手補助部４１のうち肩部４２を除く部分が金属製などで弾性変形しない構成とされる場合と比べて、引手補助部４１の装着孔３２に対する挿入性を向上できる。
（４）引手補助部４１は、その長手方向において肩部４２よりも他端側の部分を把持部４３として構成されており、把持部４３の幅寸法Ｗ２は、肩部４２の最大幅寸法Ｗ３よりも小さい寸法とされている。
このため、把持部４３の幅寸法Ｗ２を引手本体３０の装着孔３２の最大幅寸法Ｗ１よりも小さい寸法にでき、これにより、把持部４３を装着孔３２に円滑に挿入することができ、引手補助具４０の引手本体３０に対する装着作業性を向上できる。
（５）引手補助部４１の幅寸法が、把持部４３から肩部４２に向かって漸増しているので、引手補助部４１を引手本体３０の装着孔３２に通過させる際、引手補助部４１を装着孔３２に滑り込ませながら円滑に弾性変形を生じさせることができ、肩部４２を装着孔３２に容易に通過させることができる。
（６）引手補助部４１は、その長手方向において肩部４２よりも他端側の部分を把持部４３として構成されており、頭部５１は、引手補助部４１の長手方向において肩部４２よりも把持部４３から離れる方向に突出して形成されている。
このため、引手補助具４０が引手本体３０に装着された状態で引手補助部４１の把持部４３が引き操作される際に、頭部５１の前記突出した部分が引手本体３０に圧接することで、引手補助具４０の引手本体３０からの脱落を抑制する頭部５１による裏当機能を向上することができる。
（７）引手本体３０に引手補助具４０を装着することで引手２０を長い寸法にでき、このため、引手２０を視認し易くなり、一対のファスナーストリンガーを連結等するためにファスナースライダー１をスライド移動させる際に把持し易く且つスライド移動させる力を入れ易い構成にできる。なお、引手補助具にロゴやデザインなどの加飾が施されていてもよい。
【００２５】
[変形例]
本発明は、以上の実施形態で説明した構成のものに限定されず、本発明の目的を達成できる範囲での変形例は、本発明に含まれる。
前記実施形態では、引手補助具４０の全体が弾性材料によって一体に形成されているが、これに限らず、例えば、把持部４３が金属材料等によって形成されて弾性変形しない構成とされてもよく、また、頭部５１や首部６１が金属材料等によって形成されて弾性変形しない構成とされてもよく、更に、引手補助具４０の肩部４２だけが弾性材料によって形成され、肩部４２を除く部分全体が金属材料等によって弾性変形しない材料によって構成されていてもよい。
前記実施形態では、引手補助部４１のＹ軸方向における幅寸法は、把持部４３から肩部４２に向かうにつれて漸増しているが、肩部４２が弾性変形しながら装着孔３２を通過できる形状であればよく、例えば把持部４３から肩部４２に差し掛かる部分では幅寸法が大きくなるように段部を形成していてもよい。
前記実施形態では、頭部５１は肩部４２よりも上方に突出して形成されているが、これに限らず、頭部５１が肩部４２よりも上方に突出して形成されていなくても、引手本体３０の裏面に当接する裏当てとしての機能を発揮できればよい。
【符号の説明】
【００２６】
１…ファスナースライダー、１０…スライダー胴体、１１…上板部、１２…下板部、１３…連結柱部、１４…取付柱部、２０…引手、３０…引手本体、３１…装着部（周縁部）、３２…装着孔、３３…取付孔、４０…引手補助具、４１…引手補助部、４２…肩部、４２１，５１１…対向面、４３…把持部、５１…頭部、５２…両側縁、６１…首部、６１１…周面、７０…環状凹溝、Ｗ１〜Ｗ３…幅寸法。
【図１】
2020025672.tif 000003
【図２】
2020025672.tif 000004
【図３】
2020025672.tif 000005
【図４】
2020025672.tif 000006
【図５】
2020025672.tif 000007
【図６】
2020025672.tif 000008